(57)【特許請求の範囲】
【請求項１】
表表紙、裏表紙、及び前記表表紙と前記裏表紙とに跨る背部を備えた表紙体に、それぞれ収容物を収容可能な複数の綴込体を綴じ合わせた内ファイルを装着可能なファイルにおいて、
前記背部内にある前記表表紙と前記裏表紙との境界に設けられた第一の折り曲げ線であって、前記表紙体を二つ折り可能な第一の折り曲げ線と、
前記表表紙及び前記裏表紙のそれぞれに設けられた複数の第二の折り曲げ線であって、前記第一の折り曲げ線から順次離間する複数の第二の折り曲げ線と、
前記表表紙及び前記裏表紙のそれぞれの隣り合う前記第二の折り曲げ線間に配置された保持手段であって、それぞれが前記内ファイルを保持可能な複数の保持手段とを備え、
前記複数の保持手段のそれぞれは、前記第二の折り曲げ線の並ぶ方向に間隔をあけて対向し、且つ前記内ファイルに設けられた差し込み頭部が差し込まれる収容部を互いの間に形成する一対の壁部であって、前記収容部内に差し込まれた前記差し込み頭部を係止する係止部を先端部に有する一対の壁部を備え、
前記第二の折り曲げ線を挟んで隣り合う前記保持手段は、前記複数の第二の折り曲げ線の並ぶ方向で互いの壁部が間隔をあけるように配置され、
前記第一の折り曲げ線から最も離れた前記表表紙における前記第二の折り曲げ線と、前記第一の折り曲げ線から最も離れた前記裏表紙における前記第二の折り曲げ線との間が最大の背幅の背部になるように構成されたことを特徴とするファイル。
【請求項２】
表表紙、裏表紙、及び前記表表紙と前記裏表紙とに跨る背部を備えた表紙体に、それぞれ収容物を収容可能な複数の綴込体を綴じ合わせた内ファイルを装着可能なファイルにおいて、
前記背部内にある前記表表紙と前記裏表紙との境界に設けられた第一の折り曲げ線であって、前記表紙体を二つ折り可能な第一の折り曲げ線と、
前記表表紙及び前記裏表紙のそれぞれに設けられた複数の第二の折り曲げ線であって、第一の折り曲げ線から順次離間する複数の第二の折り曲げ線と、
前記背部の内面に止着されるシート片と、
前記シート片に設けられた保持手段であって、前記背部の内面における前記第一の折り曲げ線を挟んだ一方側及び他方側の少なくとも片側に設けられ、前記内ファイルを保持可能な保持手段とを備え、
前記シート片は、前記背部の内面における前記第一の折り曲げ線を挟んだ一方側及び他方側の両側であって、前記第一の折り曲げ線の近傍に一対設けられ、それぞれ前記第一の折り曲げ線側にて前記背部の内面に部分的に止着され、
前記第一の折り曲げ線から最も離れた前記表表紙における前記第二の折り曲げ線と、前記第一の折り曲げ線から最も離れた前記裏表紙における前記第二の折り曲げ線との間が最大の背幅の背部になるように構成されたことを特徴とするファイル。
【請求項３】
表表紙、裏表紙、及び前記表表紙と前記裏表紙とに跨る背部を備えた表紙体に、それぞれ収容物を収容可能な複数の綴込体を綴じ合わせた内ファイルを装着可能なファイルにおいて、
前記背部内にある前記表表紙と前記裏表紙との境界に設けられた第一の折り曲げ線であって、前記表紙体を二つ折り可能な第一の折り曲げ線と、
前記表表紙及び前記裏表紙のそれぞれに設けられた複数の第二の折り曲げ線であって、第一の折り曲げ線から順次離間する複数の第二の折り曲げ線と、
前記背部の内面に止着されるシート片と、
前記シート片に設けられた保持手段であって、前記背部の内面における前記第一の折り曲げ線を挟んだ一方側及び他方側の少なくとも片側に設けられ、前記内ファイルを保持可能な保持手段とを備え、
前記シート片は、前記保持手段から離間した箇所にて前記背部の内面に部分的に止着され、
前記第一の折り曲げ線から最も離れた前記表表紙における前記第二の折り曲げ線と、前記第一の折り曲げ線から最も離れた前記裏表紙における前記第二の折り曲げ線との間が最大の背幅の背部になるように構成されたことを特徴とするファイル。
【請求項４】
前記シート片は、前記背部の内面における前記第一の折り曲げ線を挟んだ一方側及び他方側の両側であって、前記第一の折り曲げ線の近傍に一対設けられ、それぞれ前記第一の折り曲げ線側にて前記背部の内面に部分的に止着されている請求項３に記載のファイル。
【請求項５】
前記保持手段は、前記背部と一体的に設けられている請求項１に記載のファイル。
【請求項６】
前記保持手段は、隣り合う第二の折り曲げ線間に配置されている請求項２乃至請求項４のいずれか１項に記載のファイル。
【請求項７】
前記内ファイルは、該内ファイルの背部の長手方向に沿って高剛性部を備え、該高剛性部により自立可能である請求項１乃至請求項６のいずれか１項に記載のファイル。
【発明の詳細な説明】
【技術分野】
【０００１】
本発明は、少なくとも表表紙及び裏表紙を備えた表紙体に、それぞれ収容物を収容可能な複数の綴込体を綴じ合わせた内ファイルを装着可能なファイルに関する。
【背景技術】
【０００２】
従来、この種のファイルとして、特許文献１や特許文献２に記載されたものが提案されている。これらのファイルでは、表紙体の背部の内面に該背部と同じ幅を有する扁平状の部材（特許文献１の「綴込体６」、特許文献２の「ガイドレール部材４」）が設けられ、この部材に複数の溝（特許文献１の「溝部５」、特許文献２の「ガイドレール５」）が横並びに形成され、各溝に内ファイル（特許文献１の「単体ファイル４」、特許文献２の「分割ファイル体６」）を装着できるようになっている。
【０００３】
しかしながら、これらのファイルの背部は、一定幅を有し、しかも、硬質である。そのため、これらのファイルは、綴込体に収容物（紙葉類）が収容されていない状態あるいは収容物が少ししか収容されていない状態であっても背部が一定幅を有している。そのため、これらのファイルは、出荷時や書棚等への陳列時、嵩張って場所を取る、といった問題を有している。
【０００４】
綴込体に収容物が収容されていない状態あるいは収容物が少ししか収容されていない状態でのファイルを薄型化することができるという点では、表紙体の表表紙及び裏表紙の基部側の内面に綴込体が止着された構造を採用する特許文献３に記載のファイルが非常に有効である。しかしながら、このファイルでは、綴込体の枚数が固定化されている。そのため、このファイルは、綴込体の枚数を変更することができない、といった問題を有している。
【先行技術文献】
【特許文献】
【０００５】
【特許文献１】実開昭５８−１９０１６６号（実願昭５７−８８３１１号）のマイクロフィルム
【特許文献２】実用新案登録第３０１６９１９号公報
【特許文献３】特開２０１１−１０４９８４号公報
【発明の概要】
【発明が解決しようとする課題】
【０００６】
そこで、本発明は、かかる事情に鑑みてなされたもので、薄型化を図りつつ、収容物の種類や量等の収容条件に応じて内ファイルの種類や綴込体の枚数等の収容形態を変更することができるファイルを提供することを課題とする。
【課題を解決するための手段】
【０００７】
本発明に係るファイルは、表表紙、裏表紙、及び表表紙と裏表紙とに跨る背部を備えた表紙体に、それぞれ収容物を収容可能な複数の綴込体を綴じ合わせた内ファイルを装着可能なファイルにおいて、背部内にある表表紙と裏表紙との境界に設けられた第一の折り曲げ線であって、表紙体を二つ折り可能な第一の折り曲げ線と、表表紙及び裏表紙のそれぞれに設けられた複数の第二の折り曲げ線であって、第一の折り曲げ線から順次離間する複数の第二の折り曲げ線と、表表紙及び裏表紙のそれぞれの隣り合う第二の折り曲げ線間に配置された保持手段であって、それぞれが内ファイルを保持可能な複数の保持手段とを備え、複数の保持手段のそれぞれは、第二の折り曲げ線の並ぶ方向に間隔をあけて対向し、且つ内ファイルに設けられた差し込み頭部が差し込まれる収容部を互いの間に形成する一対の壁部であって、収容部内に差し込まれた差し込み頭部を係止する係止部を先端部に有する一対の壁部を備え、第二の折り曲げ線を挟んで隣り合う保持手段は、複数の第二の折り曲げ線の並ぶ方向で互いの壁部が間隔をあけるように配置され、第一の折り曲げ線から最も離れた表表紙における第二の折り曲げ線と、第一の折り曲げ線から最も離れた裏表紙における第二の折り曲げ線との間が最大の背幅の背部になるように構成されたことを特徴とする。
【０００８】
かかる構成によれば、表紙体を二つ折り可能な第一の折り曲げ線が表紙体の背部に形成されている。そのため、表紙体を二つ折りにすることができ、（綴込体に収容物が収容されていない状態あるいは収容物が少ししか収容されていない状態での）ファイルの薄型化を図ることができる。また、例えば、内ファイルを別の種類のものに差し替えたり、内ファイルを綴込体の枚数が異なるものに差し替えたり、表紙体に装着される内ファイルの数を変更することにより、収容物の種類や量等の収容条件に応じて内ファイルの種類や綴込体の枚数等の収容形態を変更することができる。
特に、上記構成のファイルは、表表紙及び裏表紙のそれぞれに設けられた複数の第二の折り曲げ線であって、第一の折り曲げ線から順次離間する複数の第二の折り曲げ線と、表表紙及び裏表紙のそれぞれの隣り合う第二の折り曲げ線間に配置された保持手段であって、それぞれが内ファイルを保持可能な複数の保持手段とを備え、第一の折り曲げ線から最も離れた表表紙における第二の折り曲げ線と、第一の折り曲げ線から最も離れた裏表紙における第二の折り曲げ線との間が最大の背幅の背部になるように構成されている。かかる構成によれば、保持手段が第一及び第二の折り曲げ線から離間している。そのため、表紙体を閉じる際、折り曲げ線にて背部が折れ曲がるが、それによっても保持手段にはストレスが加わりにくい。そのため、保持手段が強制的に変形させられて例えば内ファイルが不用意に離脱したりすることはない。
【０００９】
本発明に係るファイルは、表表紙、裏表紙、及び表表紙と裏表紙とに跨る背部を備えた表紙体に、それぞれ収容物を収容可能な複数の綴込体を綴じ合わせた内ファイルを装着可能なファイルにおいて、背部内にある表表紙と裏表紙との境界に設けられた第一の折り曲げ線であって、表紙体を二つ折り可能な第一の折り曲げ線と、表表紙及び裏表紙のそれぞれに設けられた複数の第二の折り曲げ線であって、第一の折り曲げ線から順次離間する複数の第二の折り曲げ線と、背部の内面に止着されるシート片と、シート片に設けられた保持手段であって、背部の内面における第一の折り曲げ線を挟んだ一方側及び他方側の少なくとも片側に設けられ、内ファイルを保持可能な保持手段とを備え、シート片は、背部の内面における第一の折り曲げ線を挟んだ一方側及び他方側の両側であって、第一の折り曲げ線の近傍に一対設けられ、それぞれ第一の折り曲げ線側にて背部の内面に部分的に止着され、第一の折り曲げ線から最も離れた表表紙における第二の折り曲げ線と、第一の折り曲げ線から最も離れた裏表紙における第二の折り曲げ線との間が最大の背幅の背部になるように構成されたことを特徴とする。
【００１０】
かかる構成によれば、表紙体を二つ折り可能な第一の折り曲げ線が表紙体の背部に形成されている。そのため、表紙体を二つ折りにすることができ、（綴込体に収容物が収容されていない状態あるいは収容物が少ししか収容されていない状態での）ファイルの薄型化を図ることができる。また、例えば、内ファイルを別の種類のものに差し替えたり、内ファイルを綴込体の枚数が異なるものに差し替えたり、表紙体に装着される内ファイルの数を変更することにより、収容物の種類や量等の収容条件に応じて内ファイルの種類や綴込体の枚数等の収容形態を変更することができる。
また、かかる構成によれば、背部の内面に止着されるシート片を備え、保持手段は、シート片に設けられているため、表紙体とシート片とが別パーツとなっている。そのため、表紙体と保持手段とを別々に製造することができる。そして、保持手段の数が異なるシート片を用意することができるという設計の自由度を高めることができるとともに、保持手段の数が異なるシート片を表紙体とは独立して選択可能となるため、組み合わせのバリエーションを増やすこともできる。
また、シート片は、背部の内面における第一の折り曲げ線を挟んだ一方側及び他方側の両側であって、第一の折り曲げ線の近傍に一対設けられ、それぞれ第一の折り曲げ線側にて背部の内面に部分的に止着されているため、一方のシート片の止着箇所と他方のシート片の止着箇所とが接近した状態となる。これにより、一対のシート片を止着する工程を一回で済ます、あるいはその作業時間を減らすことができ、その分、製造コストを低減することができる。
【００１１】
本発明に係るファイルは、表表紙、裏表紙、及び表表紙と裏表紙とに跨る背部を備えた表紙体に、それぞれ収容物を収容可能な複数の綴込体を綴じ合わせた内ファイルを装着可能なファイルにおいて、背部内にある表表紙と裏表紙との境界に設けられた第一の折り曲げ線であって、表紙体を二つ折り可能な第一の折り曲げ線と、表表紙及び裏表紙のそれぞれに設けられた複数の第二の折り曲げ線であって、第一の折り曲げ線から順次離間する複数の第二の折り曲げ線と、背部の内面に止着されるシート片と、シート片に設けられた保持手段であって、背部の内面における第一の折り曲げ線を挟んだ一方側及び他方側の少なくとも片側に設けられ、内ファイルを保持可能な保持手段とを備え、シート片は、保持手段から離間した箇所にて背部の内面に部分的に止着され、第一の折り曲げ線から最も離れた表表紙における第二の折り曲げ線と、第一の折り曲げ線から最も離れた裏表紙における第二の折り曲げ線との間が最大の背幅の背部になるように構成されたことを特徴とする。
【００１２】
かかる構成によれば、表紙体を二つ折り可能な第一の折り曲げ線が表紙体の背部に形成されている。そのため、表紙体を二つ折りにすることができ、（綴込体に収容物が収容されていない状態あるいは収容物が少ししか収容されていない状態での）ファイルの薄型化を図ることができる。また、例えば、内ファイルを別の種類のものに差し替えたり、内ファイルを綴込体の枚数が異なるものに差し替えたり、表紙体に装着される内ファイルの数を変更することにより、収容物の種類や量等の収容条件に応じて内ファイルの種類や綴込体の枚数等の収容形態を変更することができる。
また、かかる構成によれば、背部の内面に止着されるシート片を備え、保持手段は、シート片に設けられているため、表紙体とシート片とが別パーツとなっている。そのため、表紙体と保持手段とを別々に製造することができる。そして、保持手段の数が異なるシート片を用意することができるという設計の自由度を高めることができるとともに、保持手段の数が異なるシート片を表紙体とは独立して選択可能となるため、組み合わせのバリエーションを増やすこともできる。
また、シート片は、保持手段から離間した箇所にて背部の内面に部分的に止着されているため、保持手段は、背部の内面に固定されていない。そのため、背部の形態が変化した際、背部の内面と保持手段との間に相対的なすべりが生じやすい。すなわち、表紙体を開いたり、閉じたりする際、あるいは内ファイルの綴込体に収容される収容物の量が増減するような場合、背部の形態が変化するが、それによっても保持手段やそれに保持されている内ファイルにはストレスが加わりにくい。そのため、保持手段やシート片が早期に破損等したりすることはなく、高い耐久性を得ることができる。
【００１３】
さらにこの場合、シート片は、背部の内面における折り曲げ線を挟んだ一方側及び他方側の両側であって、折り曲げ線の近傍に一対設けられ、それぞれ折り曲げ線側にて背部の内面に部分的に止着されている構成を採用することができる。
【００１４】
かかる構成によれば、一方のシート片の止着箇所と他方のシート片の止着箇所とが接近した状態となる。そのため、一対のシート片を止着する工程を一回で済ます、あるいはその作業時間を減らすことができ、その分、製造コストを低減することができる。
【００１５】
また、本発明に係るファイルの他態様として、保持手段は、背部と一体的に設けられている構成を採用することができる。
【００１６】
かかる構成によれば、背部と保持手段とが一体化されている。そのため、保持手段の数が増えても、部品点数が増えることはない。
【００１７】
また、これらの態様において、保持手段は、隣り合う第二の折り曲げ線間に配置されている構成を採用することができる。
【００１８】
かかる構成によれば、保持手段が折り曲げ線から離間している。そのため、表紙体を閉じる際、折り曲げ線にて背部が折れ曲がるが、それによっても保持手段にはストレスが加わりにくい。そのため、保持手段が強制的に変形させられて例えば内ファイルが不用意に離脱したりすることはない。
【００１９】
また、これらの態様において、内ファイルは、該内ファイルの背部の長手方向に沿って高剛性部を備え、該高剛性部により自立可能である構成を採用することができる。
【００２０】
かかる構成によれば、内ファイルの背部の長手方向における剛性は、高剛性部により高くなっている。そのため、背部が折れ曲がったり、湾曲したりすることはなく、内ファイルを自立させることができる。
【発明の効果】
【００２１】
以上の如く、本発明に係るファイルによれば、薄型化を図りつつ、収容物の種類や量等の収容条件に応じて内ファイルの種類や綴込体の枚数等の収容形態を変更することができる。
【図面の簡単な説明】
【００２２】
【図１】本発明の第１実施形態に係るファイルであって、内ファイルが装着されていない状態の斜視図を示す。
【図２】内ファイルが装着された同ファイルの斜視図を示す。
【図３】内ファイルが装着されていない同ファイルの平面図を示す。
【図４】内ファイルの装着態様を説明するための同ファイルの側面図を示す。
【図５】シート片の止着態様を説明するための概念図を示す。
【図６】図６（ａ）は、シート片の正面図、図６（ｂ）は、図６（ａ）のＡ矢視図、図６（ｃ）は、図６（ａ）のＢ−Ｂ線断面図、を示す。
【図７】図７（ａ）は、図６（ｂ）のＣ部拡大図、図７（ｂ）は、図７（ａ）の抜け防止処理を施す前の状態、図７（ｃ）は、図６（ｂ）のＤ部拡大図、図７（ｄ）は、図７（ｃ）の抜け防止処理を施す前の状態、を示す。
【図８】図８（ａ）は、内ファイルの正面図、図８（ｂ）は、図８（ａ）のＥ矢視部拡大図、を示す。
【図９】図９（ａ）は、内ファイルが装着されたファイルを閉じた状態の要部拡大側面図、図９（ｂ）は、図９（ａ）の内ファイルに収容物が収容された状態、を示す。
【図１０】本発明の第２実施形態に係るファイルであって、内ファイルが装着されていない状態の斜視図を示す。
【図１１】内ファイルが装着された同ファイルの斜視図を示す。
【図１２】内ファイルが装着されていない同ファイルの平面図を示す。
【図１３】同ファイルの背部パーツの側面図を示す。
【図１４】図１４（ａ）は、他実施形態に係る内ファイルの正面図、図１４（ｂ）は、内ファイルが帯片とポケットとに分かれた状態の正面図、を示す。
【図１５】図１５（ａ）は、図１４（ｂ）のＦ部拡大図、図１５（ｂ）は、図１５（ａ）のＩ矢視図、図１５（ｃ）は、図１４（ｂ）のＧ部拡大図、図１５（ｄ）は、図１５（ｃ）のＪ矢視図、図１５（ｅ）は、図１４（ｂ）のＨ−Ｈ線断面図、を示す。
【図１６】シート片の変形例の側面図を示す。
【図１７】図１７（ａ）及び図１７（ｂ）は、シート片の止着態様の変形例を説明するための概念図を示す。
【発明を実施するための形態】
【００２３】
＜第１実施形態＞
以下、本発明の第１実施形態に係るファイルについて、図１〜図９を参酌して説明する。なお、本明細書において、特に明示しない限り、図３の長寸方向を「左右」とし、短寸方向を「上下」とする。また、左右方向において、その中心線（以下、単に「中心線」という）側を「内側」、端縁側を「外側」とする。
【００２４】
図１〜図４に示す如く、本実施形態に係るファイル１は、表紙体２に複数（本実施形態においては、最大で４つ）の内ファイル２０，…を装着可能である。また、本実施形態に係るファイル１は、これら内ファイル２０，…を取り外すこともできる。
【００２５】
表紙体２は、開いた状態で、平面視にて横長の長方形状を有している。表紙体２のうち、中心線よりも左側は、表表紙３であり、中心線よりも右側は、裏表紙４である。但し、その反対、すなわち、右側が表表紙３であり、左側が裏表紙４であってもよい。
【００２６】
表紙体２は、例えばＰＰ（ポリプロピレン）製の樹脂シートで構成されている。表紙体２の外面には、複数の折り曲げ線５，…が形成されている。これらの折り曲げ線５，…は、表紙体２を二つ折り可能とすべく、中心線に沿って形成された第１の折り曲げ線５ａと、適宜間隔をあけて第１の折り曲げ線５ａから順次離間するように形成された第２の折り曲げ線５ｂ，…とからなる。本実施形態においては、表紙体２は、第１の折り曲げ線５ａを中心として合計１３本の折り曲げ線５，…を備えている。
【００２７】
各折り曲げ線５は、上下方向に沿って形成され、例えばＶ字状の断面形状を有する溝である。溝によって表紙体２の当該部位が脆弱化されることにより、表紙体２は、各折り曲げ線５にて折り曲げ変形が可能となっている。そして、表紙体２が左右の一番外側の折り曲げ線５，５にて折り曲げ変形された状態で、ファイル１の背幅が最大となる（図９（ｂ）参照）。すなわち、表紙体２のうち、左右の一番外側の折り曲げ線５，５間が背部６となる。
【００２８】
背部６の内面には、内ファイル２０を保持可能な保持手段１４が設けられたシート片１０が止着されている。シート片１０は、表紙体２の左右方向を幅方向とし、表紙体２の上下方向に沿って背部６の内面に止着されている。シート片１０は、左右に二つ設けられている。より詳しくは、背部６の内面における第１の折り曲げ線５ａを挟んだ左側及び右側に各シート片１０が設けられている。各シート片１０は、第１の折り曲げ線５ａの近傍に設けられている。そのため、二つのシート片１０，１０は、第１の折り曲げ線５ａを挟んで僅かな間隔をあけて配置されている。また、二つのシート片１０，１０は、第１の折り曲げ線５ａを中心として左右対称に配置されている。さらに、各シート片１０は、各保持手段１４が隣り合う折り曲げ線５，５間に位置するように配置されている。
【００２９】
各シート片１０は、保持手段１４から離間した箇所にて背部６の内面に部分的に止着されている。より詳しくは、図５にも示す如く、各シート片１０には、幅方向における一端部を除いて複数（本実施形態においては、２つ）の保持手段１４，…が設けられている。各シート片１０は、その一端部が内側となるように背部６の内面に配置され、その一端部（すなわち、内側の端部）にて背部６の内面に止着されている。
【００３０】
各シート片１０の止着は、例えば溶着によって行われる。そのため、各シート片１０には、背部６（表紙体２）と同じ材質（例えば、ＰＰ（ポリプロピレン））が用いられている。上述したとおり、平行に配置された二つのシート片１０，１０は、それぞれ内側の端部にて背部６の内面に止着されている。そのため、各シート片１０の内側の端部には、止着部７が形成されている。
【００３１】
二つのシート片１０，１０は、同じものが用いられている。すなわち、図６に示す一種類のシート片１０が二つ用意され、他方のシート片１０は、一方のシート片１０に対して反転された状態で用いられている。そして、各シート片１０は、上述したとおり、その一端部が内側となるように背部６の内面に配置され、その一端部（すなわち、内側の端部）にて背部６の内面に止着されている。以下、シート片１０の詳細な構造について、図６を参酌して説明する。
【００３２】
シート片１０は、表紙体２の上下方向における高さ寸法と同じ長さを有する帯状のシート部１１と、該シート部１１の幅方向における所定箇所から起立し、同じく表紙体２の上下方向における高さ寸法と同じ長さを有する第１の壁部１２と、該第１の壁部１２と幅方向に間隔をあけて対向し、同じく表紙体２の上下方向における高さ寸法と同じ長さを有する第２の壁部１３とを備えている。
【００３３】
第１の壁部１２は、シート部１１の中間部１１ａと、シート部１１の一端部１１ｂ（すなわち、シート片１０の一端部）とは反対の他端部１１ｃ（すなわち、シート片１０の他端部）とに二つ設けられている。第２の壁部１３も、シート部１１の中間部１１ａと、シート部１１の一端部１１ｂとは反対の他端部１１ｃとに二つ設けられている。シート部１１の中間部１１ａにおける第１の壁部１２及び第２の壁部１３が対称に向き合って一つの保持手段１４を構成し、シート部１１の他端部１１ｃにおける第１の壁部１２及び第２の壁部１３がもう一つの保持手段１４を構成している。いずれの保持手段１４も同じ形態である。なお、シート部１１の一端部１１ｂは、上述したとおり、表紙体２の背部６の内面に溶着される部分である。
【００３４】
第１の壁部１２の先端部は、第２の壁部１３に向かって屈曲している。同じく、第２の壁部１３の先端部も、第１の壁部１２に向かって屈曲している。また、第１の壁部１２の先端部と第２の壁部１３の先端部とは、幅方向に間隔をあけて対向している。そのため、保持手段１４は、第１の壁部１２と第２の壁部１３とに囲まれた空間を収容部１４ａとして有し、また、第１の壁部１２の先端部と第２の壁部１３の先端部との間の隙間を挿通部１４ｂとして有している。
【００３５】
シート片１０は、本実施形態においては、押出成形によって形成されている。そのため、シート片１０は、その長手方向（表紙体２の上下方向）におけるどの箇所で幅方向に切断しても、同一の断面形状を有している。また、そのため、保持手段１４も、シート片１０の長手方向におけるどの箇所で幅方向に切断しても、同一の断面形状を有している。
【００３６】
保持手段１４の長手方向（表紙体２の上下方向）における一端部（本実施形態においては、上端部）は、図７（ａ）に示す如く、収容部１４ａの長手方向（表紙体２の上下方向）における一端部を常時は閉鎖しておくが、開放することもできる構造（開閉部１４ｃ）を備えている。この開閉部１４ｃは、図７（ｂ）に示す如く、保持手段１４の長手方向における一端部の端面から間隔をあけた箇所にて第１の壁部１２及び第２の壁部１３のそれぞれ先端部を切除した後、保持手段１４の長手方向における一端部の端面に位置する第１の壁部１２及び第２の壁部１３のそれぞれ先端部を、図７（ａ）に示す如く、溶融変形させることで、収容部１４ａの長手方向における一端部に係止部１４ｄを設けた構造である。内ファイル２０の後述する差し込み頭部２９（図８（ｂ）参照）の長手方向（表紙体２の上下方向）における一端部が係止部１４ｄに当接することで、内ファイル２０が保持手段１４の長手方向における一端部を通って収容部１４ａから抜け出るのを防止することができる。そして、シート片１０は、可撓性を有しており、シート片１０の長手方向における一端部を反るように屈曲させると、係止部１４ｄが収容部１４ａの長手方向における一端部から退避し、収容部１４ａの長手方向における一端部が開放され、内ファイル２０が保持手段１４の長手方向における一端部を通って収容部１４ａから抜け出るのを許容する。内ファイル２０の差し込み頭部２９を収容部１４ａ内に差し込む際も、同様にシート片１０の長手方向における一端部を反るように屈曲させればよい。このようにして、内ファイル２０は、保持手段１４に対して着脱可能となっている。
【００３７】
保持手段１４の長手方向における他端部（本実施形態においては、下端部）は、図７（ｃ）に示す如く、収容部１４ａの長手方向における他端部を常時閉鎖しておく構造（閉鎖部１４ｅ）を備えている。この閉鎖部１４ｅは、図７（ｄ）に示す如く、保持手段１４の長手方向における他端部を、図７（ａ）に示す如く、溶融変形させることで、収容部１４ａの長手方向における他端部に閉鎖した構造である。これにより、収容部１４ａに差し込んだ内ファイル２０が保持手段１４の長手方向における他端部から抜け落ちるのを防止することができる。
【００３８】
図８に示す如く、内ファイル２０は、例えばＡ４サイズの紙を収容することができるポケット２１を複数備えている。すなわち、内ファイル２０は、複数のポケット２１，…を綴じ合わせて構成されている。本実施形態においては、内ファイル２０は、１０枚のポケット２１，…を備えている。また、内ファイル２０は、表表紙２３及び裏表紙２４を備えた表紙体２２を備えている。複数のポケット２１，…は、表紙体２２内で綴じ合わされている。
【００３９】
より詳しくは、裏表紙２４の基部（表紙体２２の背部２５側の端部）側の内面に各ポケット２１の基部（表紙体２２の背部２５側の端部）が重ね合わされ、また、裏表紙２４の基部側の外面に帯片２７の基部が重ね合わされた状態で、各ポケット２１及び帯片２７が裏表紙２４に一体的に止着されている。各ポケット２１及び帯片２７の止着は、例えば溶着によって行われる。そのため、各ポケット２１、表紙体２２及び帯片２７には、同じ材質（例えば、ＰＰ（ポリプロピレン））が用いられている。上述したとおり、各ポケット２１及び帯片２７は、それぞれ基部にて裏表紙２４の基部に一体的に止着されている。そのため、各ポケット２１の基部から帯片２７の基部にかけて、止着部２６が形成されている。
【００４０】
帯片２７は、表紙体２２の左右方向を幅方向とし、表紙体２２の上下方向に沿って背部６の基部側の外面に止着されている。帯片２７の幅方向における先端部は、表紙体２２の背部２５から突出し、そして、帯片２７のシート部２８の厚みよりも大きく膨大した差し込み頭部２９を備えている。シート部２８は、保持手段１４の挿通部１４ｂを通すことができる厚みとなっている。また、差し込み頭部２９は、保持手段１４の収容部１４ａの断面形状と略一致する断面形状を有している。そして、上述したとおり、差し込み頭部２９が保持手段１４の収容部１４ａ内に差し込まれることにより、内ファイル２０は、保持手段１４に保持される。すなわち、差し込み頭部２９は、保持手段１４との係合部として機能している。
【００４１】
帯片２７は、本実施形態においては、押出成形によって形成されている。そのため、帯片２７は、その長手方向（表紙体２２の上下方向）におけるどの箇所で幅方向に切断しても、同一の断面形状を有している。また、そのため、差し込み頭部２９も、帯片２７の長手方向におけるどの箇所で幅方向に切断しても、同一の断面形状を有している。
【００４２】
帯片２７は、保持手段１４に保持された内ファイル２０が上下方向に遊ばないよう、保持手段１４の長手方向における一端部に設けられた開閉部１４ｃ、及び、保持手段１４の長手方向における他端部に設けられた閉鎖部１４ｅの間隔と同じかそれよりも僅かに短い長さを有している。
【００４３】
本実施形態に係るファイル１は、以上の構成からなる。本実施形態に係るファイル１は、上述のとおり、表紙体２の背部６に形成され、表紙体２を二つ折り可能な第１の折り曲げ線５ａと、背部６の内面における第１の折り曲げ線５ａを挟んだ左側及び右側に設けられ、内ファイル２０を保持可能な保持手段１４，…とを備えている。そのため、各ポケット２１に収容物が収容されていない状態あるいは収容物が少ししか収容されていない状態では、図９（ａ）に示す如く、表紙体２を二つ折りにすることができ、ファイル１を薄型化することができる。
【００４４】
また、背部６には、複数の折り曲げ線５，…が形成されている。そのため、各ポケット２１に収容物が十分に収容された状態では、図９（ｂ）に示す如く、背部６が背表紙となり、均一した幅を有するファイル１にすることができる。なお、図中、符号２１ａ，２１ｂは、各ポケット２１に収容物を最大収容し、各ポケット２１が最も膨らんだ結果の、複数のポケット２１，…の最も外側の線を表している。
【００４５】
また、各内ファイル２０は、着脱式となっている。そのため、例えば、内ファイル２０を別の種類のものに差し替えたり、内ファイル２０をポケット２１，…の枚数が異なるものに差し替えたり、表紙体２に装着される内ファイル２０，…の数を変更することにより、収容物の種類や量等の収容条件に応じて内ファイル２０，…の種類やポケット２１，…の枚数等の収容形態を変更することができる。
【００４６】
また、各保持手段１４は、背部６の内面に止着されたシート片１０に設けられている。すなわち、表紙体２とシート片１０とが別パーツとなっている。そのため、表紙体２と保持手段１４とを別々に製造することができる。そして、保持手段１４，…の数が異なるシート片１０を用意することができるという設計の自由度を高めることができるとともに、保持手段１４，…の数が異なるシート片１０を表紙体２とは独立して選択可能となるため、組み合わせのバリエーションを増やすこともできる。
【００４７】
また、この場合、シート片１０は、保持手段１４から離間した箇所にて背部６の内面に部分的に止着されている。すなわち、シート片１０の一端部は、固定端であり、シート片１０の他端部は、自由端となっており、保持手段１４は、シート片１０の固定端から離間して自由端側に形成されているため、背部６の内面に固定されていない。そのため、背部６の形態が変化した際、背部６の内面と保持手段１４との間に相対的なすべりが生じやすい。すなわち、表紙体２を開いたり、閉じたりする際、あるいは内ファイル２０のポケット２１，…に収容される収容物の量が増減するような場合、背部６の形態が変化するが、それによっても保持手段１４やそれに保持されている内ファイル２０にはストレスが加わりにくい。そのため、保持手段１４やシート片１０が早期に破損等したりすることはなく、高い耐久性を得ることができる。
【００４８】
また、シート片１０は、背部６の内面における第１の折り曲げ線５ａを挟んだ左側及び右側の両側であって、第１の折り曲げ線５ａの近傍に一対設けられ、それぞれ第１の折り曲げ線５ａ側にて背部６の内面に上下方向に延びるように止着されている。すなわち、一方のシート片１０の止着箇所と他方のシート片１０の止着箇所とが接近した状態となる。そのため、一対のシート片１０，１０を止着する工程を一回で済ます、あるいはその作業時間を減らすことができ、その分、製造コストを低減することができる。
【００４９】
また、内ファイル２０は、その背部２５の長手方向に沿って帯片２７を備え、該帯片２７が高剛性部として機能している。すなわち、内ファイル２０の背部２５の長手方向における剛性は、高剛性部としての帯片２７によって高くなっている。そのため、内ファイル２０は、表紙体２２の上下方向における剛性が高いことと相まって、自立することができる。これにより、内ファイル２０のそれ単体での使用の利便性をさらに高めることができる。なお、帯片２７の長手方向に沿って差し込み頭部２９が形成され、該差し込み頭部２９によって帯片２７の長手方向における断面二次モーメントが大きくなっていることで、帯片２７は、その長手方向において高剛性を有している。しかしながら、帯片２７の幅方向における断面二次モーメントは大きくなく、帯片２７は、その幅方向においては可撓性を有している。そのため、内ファイル２０の背部２５の長手方向における高剛性化と、内ファイル２０のめくりやすさとを両方、実現することができる。
【００５０】
＜第２実施形態＞
次に、本発明の第２実施形態に係るファイルについて、図１０〜図１３を参酌して説明する。なお、説明は、第２実施形態に係るファイル１が第１実施形態に係るファイル１と異なる点についてのみ行うものとする。説明がない構成は、第１実施形態に係るファイル１と同じ構成あるいはそれに準ずる構成である。
【００５１】
異なる点は、表紙体２において、背部６に相当する部分（背部パーツ６Ａ）を別パーツにした点と、背部パーツ６Ａにおいて、保持手段１４を一体に形成した点である。
【００５２】
図１３に特に表されるように、背部パーツ６Ａは、第１実施形態に係るファイル１の背部６と同等の幅を有している。背部パーツ６Ａの左右方向における両端部は、段差部６ａ，６ａとなっている。そして、段差部６ａ，６ａに表紙パーツ３Ａ，４Ａの端部が止着されて、表紙体２が構成されている。表紙パーツ３Ａ，４Ａは、第１実施形態に係るファイル１の表紙体２と同様、トムソン打ち抜き加工によって形成されている。一方、背部パーツ６Ａは、押出成形によって形成されている。表紙パーツ３Ａ，４Ａと背部パーツ６Ａとの止着は、溶着によって行われる。そのため、表紙パーツ３Ａ，４Ａ及び背部パーツ６Ａには、同じ材質（例えば、ＰＰ（ポリプロピレン））が用いられている。
【００５３】
背部パーツ６Ａでは、第１実施形態に係るファイル１のシート片１０と同様、押出成形によって、保持手段１４が同時に形成される。例えば、第２実施形態に係るファイル１においては、保持手段１４は、片側で３つ、両側で合計６つ形成されている。そして、背部パーツ６Ａは、各保持手段１４が隣り合う折り曲げ線５，５間に位置するように形成されている。
【００５４】
このように、第２実施形態に係るファイル１は、上述のとおり、各保持手段１４が背部パーツ６Ａと一体的に設けられている。すなわち、背部パーツ６Ａと各保持手段１４とが一体化されている。そのため、保持手段１４，…の数が増えても、部品点数が増えることはない。
【００５５】
また、各保持手段１４は、隣り合う折り曲げ線５，５間に配置されている。すなわち、各保持手段１４は、折り曲げ線５から離間している。そのため、表紙体２を閉じる際、各折り曲げ線５にて背部６が折れ曲がるが、それによっても各保持手段１４にはストレスが加わりにくい。そのため、保持手段１４が強制的に変形させられて例えば内ファイル２０が不用意に離脱したりすることはない。
【００５６】
＜その他の実施形態＞
なお、本発明に係るファイルは、上記実施形態に限定されるものではなく、本発明の要旨を逸脱しない範囲で種々の変更が可能である。
【００５７】
例えば、第１実施形態及び第２実施形態において、背部６が幅変更可能な表紙体２が用いられている。しかしながら、これに限定されるものではない。例えば、二つ折りになるだけの単純な構造の表紙体であってもよい。
【００５８】
また、第１実施形態及び第２実施形態において、内ファイル２０は、ポケット２１，…を綴じ合わせている。しかしながら、これに限定されるものではない。例えば、内ファイルの綴込体は、写真、ハガキ、名刺等を収容するものであってもよい。要は、扁平でファイルが収容することを予定している収容物を収容可能な綴込体は、全て本発明で用いられることを予定している。
【００５９】
また、第１実施形態及び第２実施形態において、全ての内ファイル２０，…が着脱式である。しかしながら、これに限定されるものではない。内ファイルの一部又は全部は、保持手段１４から外れないようにしてもよい。
【００６０】
また、第１実施形態及び第２実施形態において、保持手段１４の凹と内ファイル２０の凸とが凹凸係合することにより、内ファイル２０は、保持手段１４に保持されている。しかしながら、これに限定されるものではない。例えば、内ファイルの凹と保持手段の凸とが凹凸係合するようにしてもよい。また、差し込み式ではなく、保持手段又は内ファイルの一方に例えば頭付きピンが突出し、他方にそのピンが嵌合する孔が設けられた形態でもよい。要は、保持手段と内ファイルとがなんらかの構造で係合する形態であれば、本発明の意図する範囲である。
【００６１】
また、第１実施形態及び第２実施形態において、ポケット２１，…、表紙体２２（必須ではない）及び帯片２７が一体化された内ファイル２０について説明した。しかしながら、これに限定されるものではない。図１４及び図１５に、内ファイル２０の別実施形態の一例を示す。この内ファイル２０は、帯片２７に複数のポケット２１，…が着脱自在となるものである。すなわち、各ポケット２１の端部２１ａには、上下方向の適宜箇所に孔２１ｂが形成され、一方、帯片２７の上下方向（長手方向）の対応箇所に係止部３０，３１が形成されている。係止部３０，３１は、ポケット２１の端部２１ａの上下方向において、外側に形成された第１の係止部３０と、該第１の係止部３０よりも内側に形成された第２の係止部３１とからなる。本実施形態においては、ポケット２１の孔２１ｂの数が４つであるため、第１の係止部３０は、上下に二箇所、第２の係止部３１も、一対の第１の係止部３０，３０に挟まれるようにして上下に二箇所、設けられている。
【００６２】
各第１の係止部３０は、シート部２８の面から突出する軸部３０ａと、該軸部３０ａの端部から、相手側の第１の係止部３０から離間する方向に突出する爪部３０ｂとを備えている。第２の係止部３１も、第１の係止部３０と同じ構成である。すなわち、各第２の係止部３１は、シート部２８の面から突出する軸部３１ａと、該軸部３１ａの端部から、相手側の第２の係止部３１から離間する方向に突出する爪部３１ｂとを備えている。かかる構成により、帯片２７を湾曲させて、各爪部３０ｂ，３１ｂがポケット２１の対応する孔２１ｂに入るようにし、しかる後、帯片２７の湾曲を開放して真っ直ぐに戻し、各孔２１ｂに軸部３１ａ，３１ｂが通るようにすることで、複数のポケット２１，…を帯片２７に装着することができる。なお、内側に位置する第２の係止部３１，３１は、帯片２７の湾曲に伴う変位量が外側に位置する第１の係止部３０，３０よりは少ない。従って、第２の係止部３１の爪部３１ｂの突出方向における長さが第１の係止部３０の爪部３０ｂの突出方向における長さと同じであるとすれば、第２の係止部３１は、孔２１ｂに入れにくくなる。そのため、第２の係止部３１の爪部３１ｂの突出方向における長さは、第１の係止部３０の爪部３０ｂの突出方向における長さよりも短くなっている。
【００６３】
もちろん、帯片２７は、保持手段１４との係合部である差し込み頭部２９を備えている。そのため、複数のポケット２１，…（但し、ポケット２１が一枚だけの場合を除外するものではない。）が帯片２７に装着されて構成される内ファイル２０を保持手段１４に保持させることができる。ここで、各第１の係止部３０の爪部３０ｂは、シート部２８の面側に屈曲した内方屈曲部３０ｃを有している。そのため、装着された複数のポケット２１，…に対し、弾発力を作用させることができ、複数のポケット２１，…をしっかりと保持することができる。なお、第２の係止部３１，３１は、必須ではない。第１の係止部３０，３０だけで、ポケット２１を装着するようにしてもよい。また、ポケット２１に形成される孔２１ｂの数は、特に限定されるものではない。
【００６４】
また、第１実施形態及び第２実施形態において、保持手段１４は、表紙体２の上下方向における高さ寸法と同じあるいは略同じ長さに形成されている。しかしながら、これに限定されるものではない。例えば、保持手段は、表紙体の上下方向において、部分的に設けられていてもよい。また、保持手段は、表紙体の上下方向において、複数箇所に設けられていてもよい。第１実施形態で言えば、シート片は、内ファイルが不用意に外れない工夫を施せば、表紙体の上下方向における高さ寸法と同じあるいは略同じに形成されている必要はなく、これよりも短くてもいいし、例えば上下２箇所に設けられていてもよい。
【００６５】
また、第１実施形態において、保持手段１４，…の数は、片側で２つであり、第２実施形態において、保持手段１４，…の数は、片側で３つである。しかしながら、保持手段の数は特に限定されない。例えば、第１実施形態において、片側で１つであってもよいし、あるいは、片側で３つ以上であってもよい。第２実施形態において、片側で１つ、あるいは２つであってもよいし、あるいは、片側で４つ以上であってもよい。
【００６６】
また、第１実施形態及び第２実施形態において、保持手段１４，…の数は、左右で同数である。しかしながら、保持手段の数が左右で同数であることは必須ではない。例えば、保持手段の数は、片側で１つ、もう片側で２つというように、左右の数が同じでなくてもよい。さらに言えば、片側には保持手段が設けられていない形態も、本発明の意図する範囲である。
【００６７】
また、第１実施形態及び第２実施形態において、保持手段１４，…は、左側及び右側の両方に設けられている。しかしながら、これに限定されるものではない。例えば、片側は、内ファイル２０を着脱式とするのではなく、上記特許文献３に記載された形態であってもよい。
【００６８】
また、図１６に示す如く、一端部１１ｂ’に、内ファイル２０の帯片２７と同様、差し込み頭部１１ｄ’が設けられたシート片１０’を用い、シート片１０の一つの保持手段１４に連結できるようにし、保持手段１２，…の数を増やすようにしてもよい。
【００６９】
また、第１実施形態において、シート片１０は、表紙体２に溶着で止着されている。しかしながら、これに限定されるものではない。例えば、鳩目であったり、接着などの公知の止着手段を全て用いることができる。
【００７０】
また、第１実施形態において、二つのシート片１０，１０は、内側の端部にて溶着されるようになっている。しかしながら、これに限定されるものではない。例えば、二つのシート片１０，１０は、図１７（ａ）に示す如く、外側の端部にて溶着されるようにしてもいいし、図１７（ｂ）に示す如く、保持手段１４と保持手段１４との間、すなわち、中間部にて溶着されるようにしてもよい。
【００７１】
そして、本発明は、第１実施形態における技術であって、第２実施形態に採用できるものは採用することを意図し、第２実施形態における技術であって、第１実施形態に採用できるものは採用することを意図している。
【００７２】
例えば、第２実施形態において、二つの表紙パーツ３Ａ，４Ａは、トムソン打ち抜き加工で形成され、背部パーツ６Ａは、押し出し成形で形成しているが、第１実施形態においても、表紙体２がそのような構成であってもよい。
【００７３】
また、例えば、片側が第１実施形態の保持手段１４、もう片側が第２実施形態の保持手段１４であってもよい。
【符号の説明】
【００７４】
１…ファイル、２…表紙体、３…表表紙、３Ａ…表紙パーツ、４…裏表紙、４Ａ…表紙パーツ、５…折り曲げ線、５ａ…第１の折り曲げ線、５ｂ…第２の折り曲げ線、６…背部、６Ａ…背部パーツ、６ａ…段差部、７…止着部、１０…シート片、１０’…シート片、１１…シート部、１１ａ…中間部、１１ｂ…一端部、１１ｂ’…一端部、１１ｃ…他端部、１１ｄ’…差し込み頭部、１２…第１の壁部、１３…第２の壁部、１４…保持手段、１４ａ…収容部、１４ｂ…挿通部、１４ｃ…開閉部、１４ｄ…係止部、１４ｅ…閉鎖部、２０…内ファイル、２１…ポケット、２１ａ，２１ｂ…ポケットの最外線、２２…表紙体、２３…表表紙、２４…裏表紙、２５…背部、２６…止着部、２７…帯片、２８…シート部、２９…差し込み頭部、３０…第１の係止部、３０ａ…軸部、３０ｂ…爪部、３０ｃ…内方屈曲部、３１…第２の係止部、３１ａ…軸部、３１ｂ…爪部
【図１】
0006000593.tif 000002
【図２】
0006000593.tif 000003
【図３】
0006000593.tif 000004
【図４】
0006000593.tif 000005
【図５】
0006000593.tif 000006
【図６】
0006000593.tif 000007
【図７】
0006000593.tif 000008
【図８】
0006000593.tif 000009
【図９】
0006000593.tif 000010
【図１０】
0006000593.tif 000011
【図１１】
0006000593.tif 000012
【図１２】
0006000593.tif 000013
【図１３】
0006000593.tif 000014
【図１４】
0006000593.tif 000015
【図１５】
0006000593.tif 000016
【図１６】
0006000593.tif 000017
【図１７】
0006000593.tif 000018